(57)【要約】【課題】取り除きやすく被包装物を覆う包装材及び包装方法を実現する。【解決手段】第１の包装シートと第２の包装シートが積層された際に、第１の包装シートの巻き始め端部と巻き終り端部とが共に、第２の包装シートの巻き始め端部と巻き終り端部より内側となるように配置され、接着剤層が第２の包装シートの巻き終り端部側から第１の包装シートと第２の包装シートの間の少なくとも一部に亘って設けられて、第１の包装シートと第２の包装シートとが接着されている包装材を、第１の包装シートを内面側、第２の包装シートを外面側とする配置で、それぞれの包装シートの巻き始め端部を内側に巻き込みつつ、第２の包装シートが外側に表れるように、包装材を被包装物の胴部に巻き付けることで、包装を行うこととした。【選択図】図１
2005212888.tif 000002
【特許請求の範囲】
【請求項１】
円筒形状の被包装物の胴部を覆う包装材であって、
前記包装材は、前記被包装物の胴部の周長方向に少なくとも１周分巻き付ける第１の包装シートと、その胴部の周長方向に少なくとも１周分巻き付ける第２の包装シートと、少なくとも前記第１の包装シートと前記第２の包装シートとを接着する接着剤層と、を備え、
少なくとも前記第１の包装シートの巻き終り端部が、前記第２の包装シートに重ねられて配置されるとともに、前記接着剤層が、前記第１の包装シートの少なくとも一部と重なるように、前記第２の包装シートの巻き終り端部から、前記第１の包装シートに亘って配置されていることを特徴とする包装材。
【請求項２】
円筒形状の被包装物の胴部を覆う包装材であって、
前記包装材は、前記被包装物の胴部の周長方向に少なくとも１周分巻き付ける第１の包装シートと、その胴部の周長方向に少なくとも１周分巻き付ける第２の包装シートと、を備え、
少なくとも前記第１の包装シートの巻き終り端部が、前記第２の包装シートに重ねられて配置されるとともに、その重ねられた前記第１の包装シートと前記第２の包装シートとを接着する第１の接着剤層と、前記第２の包装シートの巻き終り端部側に配置される第２の接着剤層とを有することを特徴とする包装材。
【請求項３】
前記円筒形状の被包装物は、紙製品をロール状に巻き取ったロール紙であることを特徴とする請求項１又は２に記載の包装材。
【請求項４】
請求項１〜３の何れか一項に記載の包装材で、円筒形状の被包装物の胴部を覆う包装方法であって、
前記包装材における第１の包装シートの巻き始め端部を内側に巻き込みつつ、前記第２の包装シートが外側に表れるように、前記胴部を前記包装材で巻いて覆うことを特徴とする包装方法。
【発明の詳細な説明】
【技術分野】
【０００１】
本発明は、包装材及び包装方法に関する。
【背景技術】
【０００２】
従来、紙製品がロール状に巻かれた、巻取と呼ばれる円筒形状の状態で、出荷、流通されるものがある。
この流通過程において、紙製品が湿度等の環境条件により品質悪化してしまわないように、また、外圧などにより破損してしまわないように、その巻取を防湿紙や包装シート等の包装材で包装する包装方法が知られている（例えば、特許文献１参照。）。
【０００３】
この包装方法においては、巻取の側面（胴部）に内装紙としての防湿紙を巻き、さらにその上面から外装紙としての包装シートを巻き付けている。
【特許文献１】特開平２−１０６５４１号公報
【発明の開示】
【発明が解決しようとする課題】
【０００４】
しかしながら、上記特許文献１の場合、印刷工場などに納入された巻取を覆う包装材を自動開梱機により取り除く場合、内側の巻取を傷つけないように、外側の包装材をカッターで切断し、その切断箇所から包装材を剥ぎ取るため、外装紙のみが取り除かれて、内装紙は巻取に残ってしまうことがあった。
そのため、作業者が残った内装紙を取り除かねばならず、作業が煩雑になってしまうことや、内装紙が残ったままの巻取が印刷工場のラインに入ってしまい、トラブルが発生することがあった。
【０００５】
本発明の課題は、取り除きやすく被包装物を覆うことができる包装材及び包装方法を提供することである。
【課題を解決するための手段】
【０００６】
以上の課題を解決するため、請求項１記載の発明は、
円筒形状の被包装物（例えば、巻取２０）の胴部（例えば、胴部２０ａ）を覆う包装材（例えば、包装材１０）であって、
前記包装材は、前記被包装物の胴部の周長方向に少なくとも１周分巻き付ける第１の包装シート（例えば、内装紙１１）と、その胴部の周長方向に少なくとも１周分巻き付ける第２の包装シート（例えば、外装紙１２）と、少なくとも前記第１の包装シートと前記第２の包装シートとを接着する接着剤層（例えば、接着剤層１３）と、を備え、
少なくとも前記第１の包装シートの巻き終り端部（例えば、巻き終り端部１１ｂ）が、前記第２の包装シートに重ねられて配置されるとともに、前記接着剤層が、前記第１の包装シートの少なくとも一部と重なるように、前記第２の包装シートの巻き終り端部（例えば、巻き終り端部１２ｂ）から、前記第１の包装シートに亘って配置されていることを特徴とする。
ここで、周長とは、円柱などの円筒形状物における上面部や下面部である円の円周の長さのことである。
【０００７】
請求項１記載の発明によれば、包装材は、被包装物の胴部の周長方向に少なくとも１周分巻き付ける第１の包装シートと、その胴部の周長方向に少なくとも１周分巻き付ける第２の包装シートを備えているので、被包装物の胴部を覆い隠すように包装することができる。
【０００８】
そして、その包装材において、第１の包装シートと第２の包装シートが積層された際に、少なくとも第１の包装シートの巻き終り端部が、第２の包装シートに重ねられて配置されるようになっている。また、接着剤層が、第２の包装シートの巻き終り端部側から、第１の包装シートと第２の包装シートの間の少なくとも一部に亘って配置されるようになっており、第１の包装シートと第２の包装シートとが接着されている。
このような包装材を、第１の包装シートを内面側、第２の包装シートを外面側とする配置で、それぞれの包装シートの巻き始め端部（巻き終り端部の反対側の端部）を内側に巻き込むように、包装材を被包装物の胴部に巻き付けることで、第２の包装シートの巻き終り端部が接着剤層により固定されて、包装が行われる。
【０００９】
このように包装された包装材を被包装物から回収する際、被包装物を傷つけないように、その包装材の表層面側１枚分または接着剤で接着された包装材２枚分を切断し、その切断箇所から包装材を剥ぎ取るように、取り除かれる。
そして、このように包装材の表層面側１枚分または接着剤で接着された包装材２枚分を切断した際に、包装材の表層面側に配置されている第２の包装シートは複数枚に切り分けられてしまうが、それらは互いに接着剤層により接着されているためバラバラに分離することはない。また、第１の包装シートと第２の包装シートとは接着されているので、これらも分離することはない。つまり、包装材の切断後も、第１の包装シートと第２の包装シートとは分離せず、各包装シートは一体となった状態を維持することができる。
よって、被包装物から包装材を取り除く際に、第１の包装シートと第２の包装シートとを一体として、一度に回収することができる。
【００１０】
このように、包装された被包装物から、その包装材を取り除く際、第１の包装シートと第２の包装シートとを一体に取り除き、回収することができるので、包装材は、取り除きやすく被包装物を覆う包装材であるといえる。
【００１１】
請求項２記載の発明は、
円筒形状の被包装物（例えば、巻取２０）の胴部（例えば、胴部２０ａ）を覆う包装材（例えば、包装材２００）であって、
前記包装材は、前記被包装物の胴部の周長方向に少なくとも１周分巻き付ける第１の包装シート（例えば、内装紙１１）と、その胴部の周長方向に少なくとも１周分巻き付ける第２の包装シート（例えば、外装紙１２）と、を備え、
少なくとも前記第１の包装シートの巻き終り端部（例えば、巻き終り端部１１ｂ）が、前記第２の包装シートに重ねられて配置されるとともに、その重ねられた前記第１の包装シートと前記第２の包装シートとを接着する第１の接着剤層（例えば、接着剤層１３ａ）と、前記第２の包装シートの巻き終り端部（例えば、巻き終り端部１２ｂ）側に配置される第２の接着剤層（例えば、接着剤層１３ｂ）とを有することを特徴とする。
ここで、周長とは、円柱などの円筒形状物における上面部や下面部である円の円周の長さのことである。
【００１２】
請求項２記載の発明によれば、包装材は、被包装物の胴部の周長方向に少なくとも１周分巻き付ける第１の包装シートと、その胴部の周長方向に少なくとも１周分巻き付ける第２の包装シートを備えているので、被包装物の胴部を覆い隠すように包装することができる。
【００１３】
そして、その包装材において、第１の包装シートと第２の包装シートが積層された際に、少なくとも第１の包装シートの巻き終り端部が、第２の包装シートに重ねられて配置されるようになっている。そして、重ねられた第１の包装シートと第２の包装シートを接着する第１の接着剤層と、第２の包装シートの巻き終り端部に配置される第２の接着剤層を、包装材は有している。
このような包装材を、第１の包装シートを内面側、第２の包装シートを外面側とする配置で、それぞれの包装シートの巻き始め端部（巻き終り端部の反対側の端部）を内側に巻き込むように、包装材を被包装物の胴部に巻き付けることで、第２の包装シートの巻き終り端部が第２の接着剤層により固定されて、包装が行われる。
【００１４】
このように包装された包装材を被包装物から回収する際、被包装物を傷つけないように、その包装材の表層面側１枚分または接着剤で接着された包装材２枚分を切断し、その切断箇所から包装材を剥ぎ取るように、取り除かれる。
そして、このように包装材の表層面側１枚分または接着剤で接着された包装材２枚分を切断した際に、包装材の表層面側に配置されている第２の包装シートは複数枚に切り分けられてしまうが、それらは互いに第２の接着剤層により接着されているためバラバラに分離することはない。また、第１の包装シートと第２の包装シートとは第１の接着剤層により接着されているので、これらも分離することはない。つまり、包装材の切断後も、第１の包装シートと第２の包装シートとは分離せず、各包装シートは一体となった状態を維持することができる。
よって、被包装物から包装材を取り除く際に、第１の包装シートと第２の包装シートとを一体として、一度に回収することができる。
【００１５】
このように、包装された被包装物から、その包装材を取り除く際、第１の包装シートと第２の包装シートとを一体に取り除き、回収することができるので、包装材は、取り除きやすく被包装物を覆う包装材であるといえる。
【００１６】
請求項３記載の発明は、請求項１又は２に記載の包装材において、
前記円筒形状の被包装物は、紙製品をロール状に巻き取ったロール紙（例えば、巻取２０）であることを特徴とする。
【００１７】
請求項３記載の発明によれば、請求項１又は２に記載の発明と同様の作用を奏するとともに、包装材は、紙製品をロール状に巻き取ったロール紙を包装することができる。
そして、包装されたロール紙から、その包装材を取り除く際、第１の包装シートと第２の包装シートとを一体に取り除き、回収することができるので、包装材は、取り除きやすくロール紙を覆う包装材とすることができる。
【００１８】
請求項４記載の発明は、請求項１〜３の何れか一項に記載の包装材（例えば、包装材１０）で、円筒形状の被包装物（例えば、巻取２０）の胴部（例えば、胴部２０ａ）を覆う包装方法であって、
前記包装材における第１の包装シート（例えば、内装紙１１）の巻き始め端部（例えば、巻き始め端部１１ａ）を内側に巻き込みつつ、前記第２の包装シートが外側に表れるように、前記胴部を前記包装材で巻いて覆うことを特徴とする。
【００１９】
請求項４記載の発明によれば、請求項１〜３の何れか一項に記載の包装材で、円筒形状の被包装物の胴部を覆う際に、包装材における第１の包装シートの巻き始め端部を内側に巻き込みつつ、第２の包装シートが外側に表れるように、胴部を包装材で巻いて覆うので、取り除きやすく被包装物を包装することができる。
【００２０】
つまり、第１の包装シートと第２の包装シートが積層された際に、少なくとも第１の包装シートの巻き終り端部が第２の包装シートに重ねられて配置され、その第１の包装シートと第２の包装シートが重ねられた部分において接着剤層が第１の包装シートと第２の包装シートとを接着している包装材を、第１の包装シートを内面側、第２の包装シートを外面側とする配置で、それぞれの包装シートの巻き始め端部を内側に巻き込みつつ、第２の包装シートが外側に表れるように、包装材を被包装物の胴部に巻き付けることで、第２の包装シートの巻き終り端部が接着剤層により固定されて、包装が行われる。
【００２１】
このように包装された包装材を被包装物から回収する際、被包装物を傷つけないように、その包装材の表層面側１枚分または接着剤で接着された包装材２枚分を切断し、その切断箇所から包装材を剥ぎ取るように、取り除かれる。
そして、このように包装材の表層面側１枚分または接着剤で接着された包装材２枚分を切断した際に、包装材の表層面側に配置されている第２の包装シートは複数枚に切り分けられてしまうが、それらは互いに接着剤層により接着されているためバラバラに分離することはない。また、第１の包装シートと第２の包装シートとは接着されているので、これらも分離することはない。つまり、包装材の切断後も、第１の包装シートと第２の包装シートとは分離せず、各包装シートは一体となった状態を維持することができる。
よって、被包装物から包装材を取り除く際に、第１の包装シートと第２の包装シートとを一体として、一度に回収することができる。
【００２２】
このように、包装された被包装物から、その包装材を取り除く際、第１の包装シートと第２の包装シートとを一体に取り除き、回収することができるので、この包装材をこのように包装する方法は、取り除きやすく被包装物を覆う包装方法であるといえる。
【発明の効果】
【００２３】
請求項１記載の発明によれば、第１の包装シートと第２の包装シートが積層された際に、少なくとも第１の包装シートの巻き終り端部が、第２の包装シートに重ねられて配置され、接着剤層が第２の包装シートの巻き終り端部側から第１の包装シートと第２の包装シートの間の少なくとも一部に亘って設けられて、第１の包装シートと第２の包装シートとが接着されている包装材を、第１の包装シートを内面側、第２の包装シートを外面側とする配置で、それぞれの包装シートの巻き始め端部（巻き終り端部の反対側の端部）を内側に巻き込むように、包装材を被包装物の胴部に巻き付けることで、第２の包装シートの巻き終り端部が接着剤層により固定されて、包装を行うことができる。
このように包装された包装材を被包装物から回収する際、被包装物を傷つけないように、その包装材の表層面側１枚分または接着剤で接着された包装材２枚分を切断し、その切断箇所から包装材を剥ぎ取るように、取り除く場合、包装材の表層面側に配置されている第２の包装シートは複数枚に切り分けられてしまうが、それらは互いに接着剤層により接着されているためバラバラに分離することはない。また、第１の包装シートと第２の包装シートとは接着されているので、これらも分離することはない。つまり、包装材の切断後も、第１の包装シートと第２の包装シートとは分離せず、各包装シートは一体となった状態を維持することができる。
よって、被包装物から包装材を取り除く際に、第１の包装シートと第２の包装シートとを一体として、一度に回収することができる。
従って、このような包装材は、取り除きやすく被包装物を覆う包装材であるといえる。
【００２４】
請求項２記載の発明によれば、第１の包装シートと第２の包装シートが積層された際に、少なくとも第１の包装シートの巻き終り端部が、第２の包装シートに重ねられて配置されるようになっている。そして、重ねられた第１の包装シートと第２の包装シートを接着する第１の接着剤層と、第２の包装シートの巻き終り端部に配置される第２の接着剤層を、包装材は有している。このような包装材を、第１の包装シートを内面側、第２の包装シートを外面側とする配置で、それぞれの包装シートの巻き始め端部（巻き終り端部の反対側の端部）を内側に巻き込むように、包装材を被包装物の胴部に巻き付けることで、第２の包装シートの巻き終り端部が第２の接着剤層により固定されて、包装を行うことができる。
このように包装された包装材を被包装物から回収する際、被包装物を傷つけないように、その包装材の表層面側１枚分または接着剤で接着された包装材２枚分を切断し、その切断箇所から包装材を剥ぎ取るように、取り除く場合、包装材の表層面側に配置されている第２の包装シートは複数枚に切り分けられてしまうが、それらは互いに第２の接着剤層により接着されているためバラバラに分離することはない。また、第１の包装シートと第２の包装シートとは第１の接着剤層により接着されているので、これらも分離することはない。つまり、包装材の切断後も、第１の包装シートと第２の包装シートとは分離せず、各包装シートは一体となった状態を維持することができる。
よって、被包装物から包装材を取り除く際に、第１の包装シートと第２の包装シートとを一体として、一度に回収することができる。
従って、このような包装材は、取り除きやすく被包装物を覆う包装材であるといえる。
【００２５】
請求項３記載の発明によれば、包装材は、紙製品をロール状に巻き取ったロール紙を包装することができる。
そして、包装されたロール紙から、その包装材を取り除く際、第１の包装シートと第２の包装シートとを一体に取り除き、回収することができるので、包装材は、取り除きやすくロール紙を覆う包装材とすることができる。
【００２６】
請求項４記載の発明によれば、第１の包装シートと第２の包装シートが積層された際に、少なくとも第１の包装シートの巻き終り端部が第２の包装シートに重ねられて配置され、その第１の包装シートと第２の包装シートが重ねられた部分において接着剤層が第１の包装シートと第２の包装シートとを接着している包装材を、第１の包装シートを内面側、第２の包装シートを外面側とする配置で、それぞれの包装シートの巻き始め端部を内側に巻き込みつつ、第２の包装シートが外側に表れるように、包装材を被包装物の胴部に巻き付けることで、第２の包装シートの巻き終り端部が接着剤層により固定されて、包装が行われる。
このように包装された包装材を被包装物から回収する際、被包装物を傷つけないように、その包装材の表層面側１枚分または接着剤で接着された包装材２枚分を切断し、その切断箇所から包装材を剥ぎ取るように、取り除く場合、包装材の表層面側に配置されている第２の包装シートは複数枚に切り分けられてしまうが、それらは互いに接着剤層により接着されているためバラバラに分離することはない。また、第１の包装シートと第２の包装シートとは接着されているので、これらも分離することはない。つまり、包装材の切断後も、第１の包装シートと第２の包装シートとは分離せず、各包装シートは一体となった状態を維持することができる。
よって、被包装物から包装材を取り除く際に、第１の包装シートと第２の包装シートとを一体として、一度に回収することができる。
従って、この包装材を、このように包装する方法は、取り除きやすく被包装物を覆う包装方法であるといえる。
【発明を実施するための最良の形態】
【００２７】
以下、本発明の実施の形態を詳細に説明する。
本発明にかかる包装材は、円筒形状の被包装物の胴部を捲回するように覆う包装材であって、特に、紙製品をロール状に巻き取ったロール紙（巻取）の胴部を覆う包装材を例に説明する。
なお、胴部とは、円柱などの円筒形状物における側面部のことである。また、円筒形状物における平面部である上面部や下面部をコバ面部という。
【００２８】
図１、図２に示す包装材１０は、被包装物である巻取２０との接触面側に設けられる第１の包装シートとしての内装紙１１と、巻取２０を包装した際に外側に配置されるように設けられる第２の包装シートとしての外装紙１２と、これら内装紙１１と外装紙１２とを少なくとも接着する接着剤層１３とにより構成されている。
【００２９】
内装紙１１は、湿気や水分が通過することを低減すること、または、通過することを防止することができる防湿紙により形成されている。
内装紙１１の長手方向の長さは、巻取２０の胴部２０ａの周長方向に少なくとも１周分巻き付けることができる長さを有している。例えば、内装紙１１の長手方向の長さは、巻取２０の胴部２０ａの周長の１．１倍の長さであり、巻取２０の胴部２０ａに内装紙１１を巻き付けた際、その巻き始め端部１１ａから巻き終り端部１１ｂが１．１周するように、捲回されるようになっている。
なお、周長とは、巻取２０において、紙製品がロール状に巻き取る際の中心軸に対し垂直な面での断面における、その外周の長さである。つまり、円柱などの円筒形状物における上面部や下面部である円の円周の長さである。
【００３０】
外装紙１２は、被包装物が破損したり、被包装物に汚れが付着したりすることを防ぐためのシート材により形成されている。このシート材としては、クラフト紙などの紙製シートや、ポリエチレンシートなどの樹脂製シートや、紙製シートと樹脂製シートを貼り合わせるなどした複合シート等を用いることができる。
外装紙１２の長手方向の長さは、巻取２０の胴部２０ａの周長方向に少なくとも１周分巻き付けることができる長さを有し、本実施の形態における包装材１０においては少なくとも２周分巻き付けることができる長さを有している。例えば、外装紙１２の長手方向の長さは、巻取２０の胴部２０ａの周長の２．５倍の長さであり、巻取２０の胴部２０ａに外装紙１２を巻き付けた際、その巻き始め端部１２ａから巻き終り端部１２ｂが２．５周するように、捲回されるようになっている。
【００３１】
接着剤層１３は、内装紙１１と外装紙１２や、外装紙１２と外装紙１２を接着するための接着剤が、外装紙１２の内面側（巻取２０や内装紙１１との接触面側）に薄い層状に設けられたものである。
接着剤層１３は、外装紙１２の巻き終り端部１２ｂ側から巻き始め端部１２ａに向けて設けられており、外装紙１２の巻き終り端部１２ｂからその外装紙１２に対し重ねられた内装紙１１の巻き終り端部１１ｂ側との間の一部分に亘るように設けられている。
【００３２】
ここで、包装材１０において、外装紙１２と内装紙１１とが積層された際に、内装紙１１の巻き終り端部１１ｂが外装紙１２に重ねられるように、内装紙１１の巻き始め端部１１ａと巻き終り端部１１ｂとが共に、外装紙１２の巻き始め端部１２ａと巻き終り端部１２ｂより、その長手方向の内側となるように配置されている。
そして、内装紙１１の巻き始め端部１１ａは、外装紙１２の巻き始め端部１２ａより、その長手方向の内側に、例えば、０〜２００ｍｍの位置となるように配置されている（図１中、矢印Ｐ参照）。
また、接着剤層１３は、外装紙１２に対し重ねられた内装紙１１との間において、内装紙１１の巻き終り端部１１ｂから巻き始め端部１１ａ側に、例えば、１００〜２００ｍｍに亘るように設けられており、内装紙１１と外装紙１２とを接着している（図１中、矢印Ｑ参照）。
【００３３】
そして、包装材１０は、図２に示されるように、包装材１０における内装紙１１の巻き始め端部１１ａと、外装紙１２の巻き始め端部１２ａとを内側に巻き込みつつ、巻取２０の胴部２０ａを捲回するように、その胴部２０ａを覆う。
なお、図２において、包装材１０と巻取２０の間や、捲回された包装材１０間に、空間が生じているように示されているが、図２は包装材１０の捲回の状態をわかりやすく示すための説明図であるので、便宜的に空間があるように図示されたためであり、実際には空間はなく、密着するように包装材１０が巻取２０の胴部２０ａに捲回されている。
【００３４】
そして、外装紙１２の内面側に設けられた接着剤層１３が、外装紙１２の外面側（外装紙１２における接着剤層１３が設けられていない面側）に接触することにより、その位置や範囲で外装紙１２と外装紙１２とが接着するようになる。
このように、外装紙１２の巻き終り端部１２ｂが外装紙１２の外面側に接着し、固着されることで、包装材１０が、巻取２０の胴部２０ａを覆い、包装するようになる。
【００３５】
このように、包装材１０を巻取２０に対し、巻取２０の胴部２０ａを捲回させるようにすることで、巻取２０を包装することができる。そして、巻取２０（の胴部２０ａ）に汚れが付着しないようにするとともに、湿気が作用しないようにすることができる。
なお、巻取２０のコバ面部には、コバ面を覆うコバ面カバーを配設することにより、コバ面部を包装してもよい。
【００３６】
上記のように、巻取２０の胴部２０ａに巻き付けるように包装した包装材１０を取り除き、回収する際に、自動開梱機は、包装材１０の表層面側を真空吸着するなどして外側に引き剥がすようにすることで、その包装材１０の表側１枚分を浮かすようにし、その内側との間に隙間をつくる。そして、巻取２０を傷つけないように、その包装材１０の表側１枚分をカッターで切断し、その切断箇所から包装材１０を剥ぎ取るように、取り除く。
なお、包装材１０の表側１枚分とは、１枚の外装紙１２であること以外に、捲回された外装紙１２が接着剤層１３を介して接着されて、実質的に１枚のシート部材となったものも含む。
【００３７】
そして、例えば、図２に示す捲回された包装材１０において、矢印Ｃが示す波線部分で、その包装材１０を切り開き、巻取２０から取り除いた場合、図３（ｂ）に示すように、外装紙１２は３枚に切り分けられるが、それらは接着剤層１３により接着されているためバラバラに分離せず、内装紙１１とともに一体となった状態を維持することができる。
よって、巻取２０から包装材１０を取り除く際に、内装紙１１と外装紙１２とを一体として、一度に回収することができる。
なお、３枚に切り分けられた外装紙１２の巻き始め端部１２ａ側部分は、図３（ｂ）において図中手前側に配置されるように、また、３枚に切り分けられた外装紙１２の巻き終り端部１２ｂ側部分は、図３（ｂ）において図中奥側に配置されるように、切り分けられた外装紙１２の中央側部分に接着している。
【００３８】
このように、包装された巻取２０から、その包装材１０を取り除く際、包装材１０の表層面側を切断し、その切断箇所から包装材１０を剥ぎ取るような場合に、内装紙１１と外装紙１２とを一体に取り除き、回収することができるので、包装材１０は、取り除きやすく巻取２０を覆う包装材であるといえる。
また、内装紙１１と外装紙１２とがその一部分で接着されて重ねられた構成である包装材１０を、上記のように巻き始め端部側から巻取２０の胴部２０ａに巻き付け、巻き終り端部側を接着し、固定するように巻取２０を覆う包装方法は、包装した包装材１０を取り除きやすい包装方法であるといえる。
【００３９】
また、包装材において、外装紙１２に対して内装紙１１を配置する位置は任意であり、例えば、図４に示す包装材１０ａ、１０ｂのように、外装紙１２に対して内装紙１１をより外装紙１２の巻き終り端部１２ｂ側に配置するようにしてもよい。
【００４０】
また、図５に示す包装材１０１のように、接着剤層１３を、外装紙１２の巻き終り端部１２ｂ側から巻き始め端部１２ａに向けて、その外装紙１２に対し重ねられた内装紙１１の巻き始め端部１１ａにまで亘るように設けるようにしてもよい。
このような包装材１０１でも、包装材１０と同様の包装を行うことができる。
【００４１】
また、図６に示すような、少なくとも内装紙１１の巻き終り端部１１ｂが、外装紙１２の巻き始め端部１２ａ側に重ねられて配置される包装材１０２のように、接着剤層１３を、外装紙１２の巻き終り端部１２ｂから巻き始め端部１２ａにまで設け、その外装紙１２に対し重ねられた内装紙１１の巻き終り端部１１ｂ側にまで亘るように設けるようにしてもよい。
このような包装材１０２でも、包装材１０と同様の包装を行うことができる。
【００４２】
また、図７に示すような、外装紙１２と内装紙１１とが積層された際に、内装紙１１の巻き終り端部１１ｂが外装紙１２に重ねられるように、内装紙１１の巻き始め端部１１ａと巻き終り端部１１ｂとが共に、外装紙１２の巻き始め端部１２ａと巻き終り端部１２ｂより、その長手方向の内側となるように配置される包装材であって、その重ねられた内装紙１１と外装紙１２とを内装紙１１の巻き終り端部１１ｂ側で接着する第１の接着剤層１３ａと、外装紙１２の巻き終り端部１２ｂ側に配置される第２の接着剤層１３ｂとを有するような包装材２００であってもよい。
このような包装材２００を、内装紙１１を内面側、外装紙１２を外面側とする配置で、それぞれの巻き始め端部（１１ａ、１１ｂ）を内側に巻き込むように、包装材２００を巻取２０の胴部２０ａに巻き付けることで、外装紙１２の巻き終り端部１２ｂが第２の接着剤層１３ｂにより接着、固定されて、包装が行われる。
このような包装材２００でも、包装材１０と同様の包装を行うことができる。
【００４３】
また、図８に示す包装材２０１のように、包装材２００における第１の接着剤層１３ａを、内装紙１１の巻き終り端部１１ｂから巻き始め端部１１ａにまで亘るように設けるようにしてもよい。
このような包装材２０１でも、包装材１０（包装材２００）と同様の包装を行うことができる。
【００４４】
また、図９に示すような、少なくとも内装紙１１の巻き終り端部１１ｂが、外装紙１２の巻き始め端部１２ａ側に重ねられて配置される包装材２０２のように、第１の接着剤層１３ａを、外装紙１２と重なった内装紙１１の巻き終り端部１１ｂ側に設けるようにしてもよい。
このような包装材２０２でも、包装材１０（包装材２００）と同様の包装を行うことができる。
【００４５】
なお、以上の実施の形態においては、円筒形状の被包装物を巻取２０を例に説明したが、本発明はこれに限定されるものではなく、被包装物は円筒形状物であれば任意のものでよい。
【００４６】
また、図１０に示すように、包装材３００（内装紙１１１、外装紙１２１）の巾方向を、巻取２０の高さより長くすることで、巻取２０のコバ面部（上面部、下面部）よりはみ出した包装材部分を、コバ面部に対して畳み込むようにすることで、包装材３００が巻取２０のコバ面部を覆い、包装するようにしてもよい。
【００４７】
また、各接着剤層の幅は、内装紙の幅や、巻取２０の高さ等に応じて調整すればよく、その接着剤層が、巻取２０に直接触れないようにすることが望ましい。
また、接着剤層として、複数条の接着材層を、包装材（内装紙、外装紙）の長手方向に沿って設けるようにしてもよい。
【００４８】
また、包装した包装材を切断する箇所も任意である。
【００４９】
また、その他、具体的な細部構造等についても適宜に変更可能であることは勿論である。
【図面の簡単な説明】
【００５０】
【図１】本発明にかかる包装材の展開図である。
【図２】巻取の胴部を包装材で捲回した状態を斜視方向から示す説明図である。
【図３】巻取を包装した包装材を取り除く際に切断した状態の包装材を示す説明図である。
【図４】包装材の変形例（ａ）、（ｂ）を示す展開図である。
【図５】包装材の変形例を示す展開図である。
【図６】包装材の変形例を示す展開図である。
【図７】包装材の変形例を示す展開図である。
【図８】包装材の変形例を示す展開図である。
【図９】包装材の変形例を示す展開図である。
【図１０】包装材の変形例を示す説明図である。
【符号の説明】
【００５１】
１０、１０ａ、１０ｂ  包装材
１１    内装紙（第１の包装シート）
１１ａ  巻き始め端部
１１ｂ  巻き終り端部
１２    外装紙（第２の包装シート）
１２ａ  巻き始め端部
１２ｂ  巻き終り端部
１３    接着剤層
１３ａ  第１の接着剤層
１３ｂ  第２の接着剤層
２０    巻取（被包装物、ロール紙）
２０ａ  胴部
１０１、１０２、２００、２０１、２０２  包装材
１１１  内装紙（第１の包装シート）
１２１  外装紙（第２の包装シート）
【図１】
2005212888.tif 000003
【図２】
2005212888.tif 000004
【図３】
2005212888.tif 000005
【図４】
2005212888.tif 000006
【図５】
2005212888.tif 000007
【図６】
2005212888.tif 000008
【図７】
2005212888.tif 000009
【図８】
2005212888.tif 000010
【図９】
2005212888.tif 000011
【図１０】
2005212888.tif 000012